【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
呼吸圧力処置デバイスの制御方法であって、
患者インタフェースにおいて呼吸可能なガスの流れを生成するステップであって、前記呼吸可能なガスの流れは複数の吸気部分及び複数の呼気部分を含み、呼気部分中の前記呼吸可能なガスは、吸気部分中の前記呼吸可能なガスに比べて全体的に低い圧力にあり、前記複数の呼気部分のそれぞれは圧力上昇を含むステップと、
前記呼気部分の圧力上昇を少なくとも２の次数の多項式関数によって制御するステップと
を含む方法。
【請求項２】
前記多項式関数は、時間又は位相の関数を含む、請求項１に記載の方法。
【請求項３】
前記多項式関数は２次である、請求項１又は２に記載の方法。
【請求項４】
前記多項式関数は３次関数である、請求項１に記載の方法。
【請求項５】
前記多項式関数は４次関数である、請求項１に記載の方法。
【請求項６】
前記多項式関数は、係数の集合と入力パラメータとの積の和を含み、前記入力パラメータは、呼吸流量、呼吸位相、及び呼吸時間の少なくとも１つの測定量である、請求項１〜５のいずれか１項に記載の方法。
【請求項７】
前記係数の集合は、検出される呼吸位相の関数として選択される、請求項６に記載の方法。
【請求項８】
係数の第１の集合は、呼気の早期部分について選択され、係数の第２の集合は、呼気の後期部分について選択される、請求項７に記載の方法。
【請求項９】
前記呼気部分における圧力低下を制御するステップを更に含み、前記圧力低下は、前記圧力上昇に続いて起こる、請求項１〜８のいずれか１項に記載の方法。
【請求項１０】
前記圧力低下は、前記多項式関数によって制御される、請求項９に記載の方法。
【請求項１１】
前記圧力低下の前記制御は、呼気内サイクリングポイント設定値の関数である、請求項９又は１０に記載の方法。
【請求項１２】
吸気部分を少なくとも３の次数の多項式関数によって制御するステップを更に含む、請求項１〜１１のいずれか１項に記載の方法。
【請求項１３】
前記吸気部分の圧力の前記制御は、患者の吸気中に前記圧力を減少させる、請求項１２に記載の方法。
【請求項１４】
前記吸気部分の圧力の前記減少は、前記吸気部分の圧力の増加に続く、請求項１３に記載の方法。
【請求項１５】
呼気中の前記圧力上昇を制御するステップは、最大圧補助設定値の更なる関数である、請求項１〜１４のいずれか１項に記載の方法。
【請求項１６】
呼吸圧力処置装置であって、
患者インタフェースに対して呼吸可能なガスの流れを生成する流れ発生器と、
前記呼吸可能なガスの流れを測定するセンサと、
呼吸可能なガスの流れを患者インタフェースに送出するよう前記流れ発生器を制御するコントローラであって、前記呼吸可能なガスの流れは複数の吸気部分及び複数の呼気部分を含み、呼気部分中の前記呼吸可能なガスは、吸気部分中の前記呼吸可能なガスに比べて全体的に低い圧力にあり、前記複数の呼気部分のそれぞれは圧力上昇を含む、コントローラと
を備え、
前記コントローラは、前記呼気部分の前記圧力上昇を少なくとも２の次数の多項式関数によって制御するように構成される呼吸圧力処置装置。
【請求項１７】
前記多項式関数は、時間又は位相の関数を含む、請求項１６に記載の装置。
【請求項１８】
前記多項式関数は２次である、請求項１６又は１７に記載の装置。
【請求項１９】
前記多項式関数は３次関数である、請求項１６又は１７に記載の装置。
【請求項２０】
前記多項式関数は４次関数である、請求項１６又は１７に記載の装置。
【請求項２１】
前記多項式関数は、係数の集合と入力パラメータとの積の和を含み、前記入力パラメータは、呼吸流量、呼吸位相、及び呼吸時間の少なくとも１つの測定量である、請求項１６〜２０のいずれか１項に記載の装置。
【請求項２２】
前記係数の集合は、検出される呼吸位相の関数として選択される、請求項２１に記載の装置。
【請求項２３】
係数の第１の集合は、呼気の早期部分について選択され、係数の第２の集合は、呼気の後期部分について選択される、請求項２２に記載の装置。
【請求項２４】
前記コントローラは、前記呼気部分における圧力低下を制御するように更に構成され、前記圧力低下は前記圧力上昇に続いて起こる、請求項１６〜２３のいずれか１項に記載の装置。
【請求項２５】
前記圧力低下は、前記多項式関数によって制御される、請求項２４に記載の装置。
【請求項２６】
呼気内サイクリングポイント設定を更に含み、前記コントローラは、前記圧力低下を、前記呼気内サイクリングポイント設定の関数として制御するように更に構成される、請求項２４又は２５に記載の装置。
【請求項２７】
前記コントローラは、吸気部分を少なくとも３の次数の多項式関数によって制御するように更に構成される、請求項１６〜２６のいずれ１項に記載の装置。
【請求項２８】
前記吸気部分の圧力の前記制御は、患者の吸気中に前記圧力を減少させる、請求項２７に記載の装置。
【請求項２９】
前記吸気部分の圧力の前記減少は、前記吸気部分の圧力の増加に続く、請求項２８に記載の装置。
【請求項３０】
前記圧力上昇の前記制御は、最大圧補助設定値の更なる関数である、請求項１６〜２９のいずれか１項に記載の装置。
【請求項３１】
呼吸圧力処置デバイスの制御方法であって、
患者インタフェースにおいて呼吸可能なガスの流れを生成するステップであって、前記呼吸可能なガスの流れは複数の吸気部分及び複数の呼気部分を含み、呼気部分中の前記呼吸可能なガスは、吸気部分中の前記呼吸可能なガスに比べて全体的に低い圧力にあり、前記呼気部分は圧力上昇を含むステップと、
前記呼気部分の前記圧力上昇を、１回換気量、及びベースライン圧力とターゲット呼気圧力設定との差の関数によって制御するステップと
を含む方法。
【請求項３２】
１回換気量の前記関数は、瞬時１回換気量と先行する呼吸サイクルの１回換気量の測定量との比を含む、請求項３１に記載の方法。
【請求項３３】
先行する呼吸サイクルの１回換気量の測定量は、計算された平均である、請求項３１又は３２に記載の方法。
【請求項３４】
呼吸圧力処置装置であって、
患者インタフェースに対して呼吸可能なガスの流れを生成する流れ発生器と、
前記呼吸可能なガスの流れを測定するセンサと、
呼吸可能なガスの流れを患者インタフェースに送出するよう前記流れ発生器を制御するコントローラであって、前記呼吸可能なガスの流れは複数の吸気部分及び複数の呼気部分を含み、呼気部分中の前記呼吸可能なガスは、吸気部分中の前記呼吸可能なガスに比べて全体的に低い圧力にあり、呼気部分は圧力上昇を含むコントローラと
を備え、
前記コントローラは、前記呼気部分の前記圧力上昇を、１回換気量、及びベースライン圧力とターゲット呼気圧力設定との差の関数によって制御するように構成される、呼吸圧力処置装置。
【請求項３５】
１回換気量の前記関数は、瞬時１回換気量と先行する呼吸サイクルの１回換気量の測定量との比を含む、請求項３１に記載の方法。
【請求項３６】
先行する呼吸サイクルの１回換気量の前記測定量は、計算された平均である、請求項３４又は３５に記載の装置。
【請求項３７】
前記圧力上昇を制御するための前記多項式関数は、呼気の開始と呼気の終末との間にある範囲を有している、請求項１に記載の方法。
【請求項３８】
前記圧力上昇を制御するための前記多項式関数は、呼気の開始と呼気の終末との間にある範囲を有している、請求項１６に記載の装置。